(57)【特許請求の範囲】
【請求項１】
所定厚さの配置空間が形成されている前枠と、
前記前枠の前記配置空間に配置される遊技盤ユニットとを備え、
前記遊技盤ユニットは、
遊技媒体が流下可能な遊技領域が前面に形成され、透光性を有する遊技盤と、
前記遊技盤の外周部における後面に当接し、前記遊技盤の側面を覆い、一体として形成された平板状のスペーサとを有し、
前記遊技盤の厚さと前記スペーサの厚さとの合計の厚さである前記遊技盤ユニットの厚さは、実質的に前記所定厚さであり、
前記遊技盤及び前記スペーサは、一体として前記配置空間に配置され、
前記スペーサは、前記遊技盤における上方、下方、左方及び右方の４つの側面のうち３つの側面を覆っており、
前記遊技盤における前記４つの側面のうちの残りの１つの側面は、前記スペーサより外方に突出している、遊技機。
【請求項２】
前記遊技盤における前記残りの１つの側面は、下方の側面である、請求項１に記載の遊技機。
【請求項３】
前記スペーサの前面及び後面の少なくとも一方には、凹部が形成されており、
前記凹部には、前記凹部の底面から後方に突出するリブが設けられている
請求項１又は請求項２に記載の遊技機。
【発明の詳細な説明】
【技術分野】
【０００１】
遊技機に関する。
【背景技術】
【０００２】
パチンコ機等の遊技機においては、弾球された遊技球が遊技領域（遊技盤の表面に形成されて遊技球が流下可能な領域であって、遊技球の流下による遊技や演出を実現するための領域。）を流下して、その流下の過程で遊技球が遊技領域内の遊技釘や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
このようなパチンコ機において、遊技盤を透明に形成する構成が提案されている（例えば、特許文献１参照）。透明な遊技盤を用いると、遊技盤の後方が視認可能となるので、遊技盤の後方に装飾体や可動物等の役物（以下、「後方役物」とも記載する。）を配置し、遊技者に対して後方役物による高い装飾効果や演出効果を発揮させることができる。
【先行技術文献】
【特許文献】
【０００４】
【特許文献１】特開２０１１−２４０００２号公報
【発明の概要】
【発明が解決しようとする課題】
【０００５】
透明な遊技盤を用いる場合、軽量化等を考慮して従来の遊技盤より薄い遊技盤が用いられることが多い。薄い遊技盤は従来のものより剛性が低く、遊技釘を打ちつける際等において撓む可能性が高くなるという問題が生じる場合がある。遊技盤が撓むと、適正な遊技を提供することができなくなる。
【０００６】
本願発明は、上記の事情に鑑みて為されたもので、撓みにくい透明な遊技盤を有する遊技機を提供することを例示的課題とする。
【課題を解決するための手段】
【０００７】
上記の課題を解決するために、本願発明の例示的側面としての遊技機は、所定厚さの配置空間が形成されている前枠と、前枠の配置空間に配置される遊技盤ユニットとを有する。遊技盤ユニットは、遊技媒体が流下可能な遊技領域が前面に形成され、透光性を有する遊技盤と、遊技盤の外周部における後面に当接し、遊技盤の側面を覆い、一体として形成された平板状のスペーサとを有する。遊技盤の厚さとスペーサの厚さとの合計の厚さである遊技盤ユニットの厚さは実質的に上記所定厚さであり、遊技盤及びスペーサは一体として上記配置空間に配置される。
【０００８】
本願発明の更なる目的又はその他の特徴は、以下添付図面を参照して説明される好ましい実施形態によって明らかにされるであろう。
【発明の効果】
【０００９】
撓みにくい透明な遊技盤を有する遊技機を提供することができる。
【図面の簡単な説明】
【００１０】
【図１】実施形態に係る遊技機としてのパチンコ機の正面図である。
【図２】図１に示すパチンコ機の外観斜視図である。
【図３】図１に示すパチンコ機においてガラス枠を前方開放した状態の外観斜視図である。
【図４】前枠と遊技盤ユニットとを前後に分解した分解斜視図である。
【図５】図４に示す遊技盤ユニットの分解斜視図である。
【図６】図４及び図５に示す遊技盤の後方にスペーサを取り付けた状態を前方から見た場合の遊技盤ユニットの斜視図である。
【図７】図４及び図５に示す遊技盤の後方にスペーサを取り付けた状態の遊技盤ユニットの側面図である。
【図８】図４に示す前枠の後面を示す斜視図である。
【図９】図４及び図５に示すスペーサの後面を示す斜視図である。
【実施するための形態】
【００１１】
以下、実施形態について図面を用いて説明する。図１は、実施形態に係る遊技機としてのパチンコ機２の正面図であり、図２は、図１に示すパチンコ機２の外観斜視図である。
【００１２】
パチンコ機２は、遊技機枠３、遊技盤ユニット５、ガラス枠１２、発射ユニット（不図示）、球皿１４を有している。遊技盤ユニット５の一部である遊技盤６の表面に形成された遊技領域１６に向けて、発射ユニットによって１球ずつ遊技球（遊技媒体）２３が発射可能とされている。
【００１３】
パチンコ機２は、後述する発射装置ハンドル１５を遊技者が操作することによって、遊技領域１６に向けて遊技球２３が発射され、遊技球２３の流下による遊技が実現される。なお、遊技機は、パチンコ機２の他にパチンコ式スロットマシン機（いわゆるパロット機）、コインゲーム機等のアーケードマシン、各種ゲーム機を概念することができ、要するに、遊技媒体の流下による遊技を実現する遊技領域を有するあらゆる遊技機が含まれる。また、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機を概念することができる。
【００１４】
本願においては、一般的な方向の定義として、パチンコ機を正面（遊技者側）から見た場合における方向で上下左右方向を定義する。また、遊技者からパチンコ機に向かう方向を後方、パチンコ機から遊技者に向かう方向を前方と定義する。また、遊技球２３が遊技領域１６を流下する場合、原則として流下方向（下方）が下流側であり、逆方向（上方）が上流側となるが、下流、上流の概念は上下に限定されず、あくまで遊技球２３の流下する方向を下流側と定義する。
【００１５】
パチンコ機２の遊技機枠３は、後述する遊技盤ユニット５を保持するためのもので、このパチンコ機２の周囲側面及び前方又はそれに加えて後方を囲むように構成される。遊技機枠３の内側には、遊技盤ユニット５の他にも各種制御基板や遊技球２３用の通過経路等各種機構部品が配置され、遊技機枠３によって周囲側面及び前方又はそれに加えて後方からのパチンコ機２内部側への不正アクセスが防止されるようになっている。
【００１６】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。
【００１７】
ガラス１０は、遊技盤６に対して一定距離以上離間して配置された透明板である。ガラス１０は、２枚の透明平板ガラスが前後に配置されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないようにする不正アクセス防止機能、を発揮する。ガラス枠１２には、略中央に大きく中央開口が形成されており、その中央開口の周囲を囲むように装飾部材３２が配置されており、中央開口を塞ぐようにガラス１０が配置されている。
【００１８】
球皿１４は、遊技者の持ち球を貯留するためにパチンコ機２の前面に配置された皿部材であって、本実施形態においては上球皿１４ａと下球皿１４ｂとを有している。上球皿１４ａは遊技盤６の下方、すなわちガラス枠１２の下方部分に配置され、下球皿１４ｂは、その上球皿１４ａの更に下方に配置されている。
【００１９】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００２０】
図３は、図１に示すパチンコ機２においてガラス枠１２を前方開放した状態の外観斜視図である。ガラス枠１２を前方開放すると、前枠９に保持された遊技盤ユニット５の遊技領域１６が前方に露出する。このパチンコ機２においては、前枠９の後方から遊技盤ユニット５が取り付けられ、前枠９の略中央に大きく開口形成された中央開口９ａに遊技領域１６が臨むようになっている。なお、このパチンコ機２では、中央開口９ａの内側面の一部が外レール２６ａとして機能しており、発射ユニットによって発射された遊技球２３が外レール２６ａによって遊技領域１６の上部に向けて案内されるようになっている。
【００２１】
図４は、前枠９と遊技盤ユニット５とを前後に分解した分解斜視図である。図４においては、遊技盤ユニット５についても、遊技盤６とスペーサ（基盤部材）１１とを分解して示している。また図４においては、遊技盤ユニット５の後方に取付けられる後方ユニット（役物ユニット）１３も示している。
【００２２】
前枠９は、ガラス枠１２の後方に位置し、ヒンジ２２を介して外枠４に軸支され、ヒンジ２２を中心として前後に揺動開閉可能とされている。前枠９の後方に遊技盤ユニット５が保持されるようになっており、前枠９の中央開口９ａから遊技領域１６が前方に臨むようになっている。遊技盤ユニット５は、遊技盤６及びスペーサ１１を有している。遊技盤６の表面（遊技盤面）６ａには前方ユニット８が取付けられる。前方ユニット８は、例えば、遊技領域１６を囲むように配置されるレール飾り２６、遊技盤６に開口形成されたセンター開口６ｂの周囲を囲むセンター役物７、始動入賞口２９等を含む。
【００２３】
遊技盤６は、表面に遊技領域１６を形成する盤状部材であり、その略中央位置には、後方ユニット１３の一部や演出表示装置（不図示）を臨ませるためのセンター開口６ｂが形成されている。遊技盤面６ａには、流下する遊技球２３の流下経路を変更させることにより遊技を演出するための、多数の遊技釘や風車等（いずれも不図示）も配置されている。遊技盤６は、アクリル等の樹脂で形成され、かつ、透光性を有しており、特に本実施形態においては透明である。
【００２４】
スペーサ１１は、遊技盤６の後方に取り付けられる平板状の樹脂部材である。本実施形態においては、スペーサ１１は黒色であって不透光とされており、その後方が遊技者から視認できないようになっている。スペーサ１１は、図４に示すように、周囲において連続し、かつ中央が開口したいわゆるドーナツ形状を呈しており、遊技盤６の周囲における後面を支持している。またスペーサ１１は、側面の少なくとも一部を覆うように位置している。
【００２５】
スペーサ１１は、前枠９に遊技盤６を取り付ける際の補助部材として機能する。前枠９に取り付け可能な遊技盤の前後方向における厚さは、本実施形態に係る遊技盤６の厚さよりも厚い。そのため、遊技盤６にスペーサ１１を取り付けて遊技盤ユニット５全体としての取り付け部分における厚さを増大させて、前枠９に取り付け可能な厚さと一致させている。それにより、この遊技盤６をスペーサ１１と共に前枠９に適正に取り付けることができるようになっている。
【００２６】
後方ユニット１３は、スペーサ１１の後方に取り付けられる遊技演出用の役物ユニットである。後方ユニット１３は、動作演出や光演出によって遊技者に対して演出を提供するためのもので、その一部がセンター開口６ｂから前方に露出するように配置されて遊技者に呈示される。また、後方ユニット１３の中央開口１３ａには、その後方に取り付けられる演出表示装置の表示面が位置するようになっている。この遊技盤６は透明であるので、センター開口６ｂ以外の部分においても遊技盤面６ａを透過してその後方にある後方ユニット１３が遊技者から視認できるようになっている。
【００２７】
図５は、図４に示す遊技盤ユニット５の分解斜視図である。図５には、スペーサ１１の後面の上方に取り付けられる球タンクカバー６０も示されている。遊技盤６は、遊技媒体としての遊技球２３が流下可能な遊技領域１６が前面に形成された盤状部材であって、透光性を有しており、アクリル等の樹脂によって形成されている。遊技盤６が透光性を有しているので、遊技盤６の後方に役物が配置された場合、前方からその役物を視認することができる。そのため、遊技盤６の後方には後方ユニット１３が配置される。後方ユニット１３により、パチンコ機２の演出効果が高まる。
【００２８】
スペーサ１１は、図４及び図５に示す通り、遊技盤６の後方に取り付けられる平板状の部材であって、前枠９に遊技盤６を取り付ける際の補助部材として機能し、樹脂によって形成されている。スペーサ１１は黒色であって不透光とされており、スペーサ１１の後方は遊技者に視認されないようになっている。また、遊技盤６が傷ついても、スペーサ１１はその傷が目立つことを抑制することができる。
【００２９】
前枠９には遊技盤を配置可能な配置空間が形成されており、配置空間における前後方向の厚さ（以下、「所定厚さ」と記載する。）は、ベニヤ板製の従来の遊技盤の厚さと実質的に同じ厚さであって、本実施形態に係る遊技盤６の厚さよりも厚い。そのため、所定厚さと本実施形態に係る遊技盤６の厚さとの差分と実質的に等しい厚さを有するスペーサ１１を遊技盤６の後方に取り付ける。このように遊技盤６の厚さとスペーサ１１の厚さとの合計の厚さを前枠９における所定厚さと実質的に等しくした上で、遊技盤６とスペーサ１１とを一体にして前枠９における配置空間に配置する。それにより、ベニヤ板製の従来の遊技盤と同様に、本実施形態の遊技盤６を前枠９に適正に取り付けることができる。
【００３０】
スペーサ１１は、中央が開口していて開口を囲む部分が一体化されて連続している部材であって、前面において、遊技盤６の外周部における後面に当接する平面部１１ａを有している。スペーサ１１が一体化されている部材であって、かつ平面部１１ａが遊技盤６の外周部における後面に当接してスペーサ１１が遊技盤６を後方から支持するので、遊技盤６が薄くても、遊技盤６の前後方向における剛性は上記所定厚さの遊技盤が有する剛性に近くなっており、そのため、遊技盤６は撓みにくくなっている。
【００３１】
スペーサ１１の外縁における上方、左方及び右方には、前方に突出した側面部１１ｂが設けられている。図６は、図４及び図５に示す遊技盤６の後方にスペーサ１１を取り付けた状態を前方から見た場合の遊技盤ユニット５の斜視図である。スペーサ１１には前方に突出した側面部１１ｂが設けられているので、遊技盤６の後方にスペーサ１１を取り付けた場合、図６に示す通り、遊技盤６の上方、左方及び右方における側面は、スペーサ１１の側面部１１ｂによって覆われて保護される。
【００３２】
遊技盤６の下方の側面は、スペーサ１１が取り付けられた遊技盤６を前枠９の配置空間に配置する際に高さの基準となる面であるので、精度よく平面に加工される。そのため、遊技盤６の下方の側面は、スペーサ１１に覆われない。図７は、図４及び図５に示す遊技盤６の後方にスペーサ１１を取り付けた状態の遊技盤ユニット５の側面図である。図７に示す通り、遊技盤６の下方の側面は、スペーサ１１の下方の側面より下方に突出している。遊技盤６の下方の側面がスペーサ１１によって覆われず、かつスペーサ１１の下方の側面より下方に突出しているので、遊技盤６の下方の側面を前枠９の配置空間を形成する下方の側面に適正に当接させることができる。
【００３３】
図８は、図４に示す前枠９の後面を示す斜視図である。図８に示す通り、前枠９の後面には、右上方において後方に突出した右上側案内部９ｂが形成されており、左下方において後方に突出した左下側案内部９ｃが形成されている。右上側案内部９ｂ及び左下側案内部９ｃは、遊技盤６を前枠９に後方から取り付ける際の案内機能を有する。
【００３４】
図５及び図６に示す通り、遊技盤６には、右上方において前後方向に貫通する右上方孔６ｃが形成されており、左下方において前後方向に貫通する左下方孔６ｄが形成されている。スペーサ１１には、右上方において前後方向に貫通する右上方孔１１ｃが形成されており、左下方において前後方向に貫通する左下方孔１１ｄが形成されている。スペーサ１１が遊技盤６の後方に取り付けられた際、遊技盤６の右上方孔６ｃとスペーサ１１の右上方孔１１ｃとが連通し、かつ遊技盤６の左下方孔６ｄとスペーサ１１の左下方孔１１ｄとが連通するように、各孔は形成されている。
【００３５】
右上方孔６ｃと右上方孔１１ｃとが連通し、かつ左下方孔６ｄと左下方孔１１ｄとが連通するようにスペーサ１１が遊技盤６の後方に取り付けられた後に、遊技盤６はスペーサ１１と一体化された状態で、前枠９の配置空間に適正に配置される。その際、スペーサ１１の下方の側面より下方に突出している遊技盤６の下方の側面を、前枠９の配置空間を形成する下方の側面に後方から当接させ、かつ右上側案内部９ｂを右上方孔６ｃに挿入させるとともに、左下側案内部９ｃを左下方孔６ｄに挿入させるようにして、遊技盤６は前枠９の所定位置に適正に取り付けられる。
【００３６】
図９は、図４及び図５に示すスペーサ１１の後面を示す斜視図である。図９に示す通り、スペーサ１１の平面部１１ａの後側には凹部１１ｅが形成されており、スペーサ１１における平面部１１ａが形成されている部分は薄くなっている。凹部１１ｅには、凹部１１ｅの底面から後方に突出するリブ１１ｆが形成されている。リブ１１ｆが設けられていることにより、スペーサ１１における平面部１１ａが形成されている部分が薄くても、その部分の剛性は高く、ひいてはスペーサ１１の剛性は高い。更に言うと本実施形態では、リブ１１ｆは格子状に形成されているので、スペーサ１１の剛性はより高くなっている。平面部１１ａが遊技盤６の外周部における後面に当接するようにして、剛性が高いスペーサ１１が遊技盤６を後方から支持するので、遊技盤６がたとえ薄くても、遊技盤６の前後方向における剛性は所定厚さの遊技盤が有する剛性により近くなっている。そのため、遊技盤６はより撓みにくくなっている。
【００３７】
図５及び６に示す通り、遊技盤６には、左下方において前後方向に貫通する第１右下方孔６ｅが形成されている。スペーサ１１には、左右上方、及び右下方の３か所において前方に突出し、同じ長さを有する突出部１１ｇが設けられている。スペーサ１１の下方に設けられている突出部１１ｇは、スペーサ１１が遊技盤６の後方に取り付けられた際、遊技盤６の第１右下方孔６ｅに挿入され、かつ遊技盤６の前面より前方に突出するように設けられている。
【００３８】
図９に示すように、スペーサ１１の後面には、左右上方、及び右下方の３箇所に、突出部１１ｇの先端部が挿入可能な穴部１１ｈが設けられている。スペーサ１１と一体化された遊技盤６の２個を積み重ねる際、下側のスペーサ１１の前方に突出した突出部１１ｇを上側のスペーサ１１の後面における穴部１１ｈに挿入することにより、スペーサ１１と一体化された遊技盤６を安定した状態で積み重ねることができる。上述の積み上げ作業を繰り返すことにより、スペーサ１１と一体化された遊技盤６を複数個安定した状態で積み重ねることができ、スペーサ１１と一体化された遊技盤６を複数個安定した状態で移動又は運搬することができる。その結果、作業効率が上昇する。
【００３９】
図５及び図６に示す通り、遊技盤６には、左上方において前後方向に貫通する左上方孔６ｆが形成されており、右下方において前後方向に貫通する第２右下方孔６ｇが形成されている。左上方孔６ｆは遊技盤６の左右方向において右上方孔６ｃと対称な位置に設けられており、第２右下方孔６ｇは第１右下方孔６ｅより中央よりであって遊技盤６の左右方向において左下方孔６ｄと対称な位置に設けられている。
【００４０】
スペーサ１１には、左上方において前後方向に貫通する左上方孔１１ｉが形成されており、右下方において前後方向に貫通する右下方孔１１ｊが形成されている。スペーサ１１が遊技盤６の後方に取り付けられた際、遊技盤６の左上方孔６ｆとスペーサ１１の左上方孔１１ｉとが連通し、かつ遊技盤６の第２右下方孔６ｇとスペーサ１１の右下方孔１１ｊとが連通するように、各孔は形成されている。
【００４１】
右上方孔６ｃと右上方孔１１ｃとが連通し、左下方孔６ｄと左下方孔１１ｄとが連通するようにスペーサ１１が遊技盤６の後方に取り付けられる際、左上方孔６ｆと左上方孔１１ｉとが連通し、かつ第２右下方孔６ｇと右下方孔１１ｊとが連通する。そこで、役物等を遊技盤６に取り付ける際に用いる作業台において、右上方孔６ｃと左下方孔６ｄとの間の長さと実質的に同じ長さだけ離れた２つの位置に棒状部材を設ける。
【００４２】
そうすると、遊技盤６の前面に役物を配置する際には、スペーサ１１と一体化された遊技盤６の右上方孔６ｃ及び左下方孔６ｄに２つの棒状部材を後方から挿入させるようにして遊技盤６を作業台に配置する。それにより、遊技盤６を適正な位置に配置することができ、ひいては遊技盤６の前面の適切な位置に役物等を配置することができる。他方、遊技盤６の後面に役物を配置する際には、スペーサ１１と一体化された遊技盤６の左上方孔６ｆ及び第２右下方孔６ｇに２つの棒状部材を前方から挿入させるようにして遊技盤６を作業台に配置する。それにより、遊技盤６を適正な位置に配置することができ、ひいては遊技盤６の後面の適切な位置に役物等を配置することができる。
【００４３】
このように、遊技盤６の左右方向において、右上方孔６ｃと左上方孔６ｆとが対称な位置に設けられており、左下方孔６ｄと第２右下方孔６ｇとが対称な位置に設けられている。そのため、２つの棒状部材を用いることにより、前面及び後面のいずれに役物等を配置する場合にも、遊技盤６を作業台の所定位置に精度よく配置することができ、ひいては遊技盤６の前後の所定位置に役物等を適切に配置することができる。なお、右上方孔６ｃ及び左上方孔６ｆ、並びにそれらに連通する右上方孔１１ｃ及び左下方孔１１ｄは、上述の通り遊技盤６を前枠９に取り付ける際にも用いられる。そのため、それら２箇所の孔を用途に応じて使い分けることにより、余分な孔を形成することなく高い作業性を維持することができる。
【００４４】
スペーサ１１と一体化された遊技盤６の前後面に役物を配置した後に、遊技盤６に遊技釘を打ち付ける場合や、複数個の遊技盤６を積み重ねる場合、左上方孔６ｆ及び左下方孔６ｄに専用の嵩上げ部材（専用スペーサ）を挿入する。それにより、遊技盤６が傷つかないようにして遊技釘を打ち付けることができる。加えて、スペーサ１１と一体化された遊技盤６を複数個安定した状態で積み上げることができ、ひいてはスペーサ１１と一体化された遊技盤６を複数個安定した状態で移動又は運搬させることができる。その結果、作業効率が上昇する。
【００４５】
再度図５に戻る。図５に示すように、スペーサ１１の後面の上部には球タンクカバー６０がネジにより取り付けられる。遊技盤６は、透光性を有しているので、球タンクカバー６０を用いなければ、パチンコ機２の前方から球タンクが視認される可能性がある。球タンクカバー６０を用いることにより球タンクを隠すことができ、球タンクが前方から視認されることを防止することができる。
【００４６】
上述の通り、遊技盤６の後面にスペーサ１１が取り付けられるので、遊技盤６は撓みにくくなっている。
【００４７】
なお、上述した実施形態では、遊技盤６の上方、左方及び右方の側面はスペーサ１１によって覆われて保護される。しかしながら、遊技盤６は、上方、下方、左方及び右方の４つの側面のうち下方を含む３つの側面がスペーサ１１に覆われて保護されてもよい。その場合、遊技盤６の４つの側面のうちスペーサ１１に覆われない側面は、スペーサ１１より外側に突出し、精度よく平面に加工されて前枠９に遊技盤６を取り付ける際の基準面として用いられる。それにより、スペーサ１１と一体化された遊技盤６を前枠９に適正に取り付けることができる。
【００４８】
遊技盤６の上方、下方、左方及び右方の４つの側面全部がスペーサ１１に覆われて保護されてもよい。その場合、例えば遊技盤６の下方の２箇所がスペーサ１１から突出して精度よく平面状に加工されて前枠９に遊技盤６を取り付ける際の基準とされてもよい。又は、例えばスペーサ１１の下面が精度よく平面状に加工されて前枠９に遊技盤６を取り付ける際の基準とされてもよい。
【００４９】
上述した実施形態では、スペーサ１１の凹部１１ｅはスペーサ１１の後面に設けられている。しかしながら、凹部１１ｅはスペーサ１１の前面に設けられてもよい。その場合、凹部１１ｅには、凹部１１ｅの底面から前方に突出するリブ１１ｆが形成されてスペーサ１１の剛性は高くなり、剛性が高いスペーサ１１が遊技盤６を後方から支持するので、遊技盤６がより撓みにくくなる。ただし、遊技盤６は透光性を有するので、凹部１１ｅはスペーサ１１の前面よりも後面に設けられている方が美観はよい。また、スペーサ１１の前面には突出部１１ｇを設ける方が好ましいので、凹部１１ｅをスペーサ１１の後面に設ける方が、スペーサ１１の加工性は高くなる。更に、凹部１１ｅをスペーサ１１の前面ではなく後面に設ける方が、スペーサ１１が取り付けられた遊技盤６は持ち易くなる。
【００５０】
上述した実施形態では、スペーサ１１の前面には前方に突出する突出部１１ｇが設けられており、スペーサ１１の後面には突出部１１ｇの先端部が挿入可能な穴部１１ｈが設けられている。しかしながら、突出部１１ｇがスペーサ１１の後面に設けられ、穴部１１ｈがスペーサ１１の前面に設けられてもよい。その場合であっても、突出部１１ｇを穴部１１ｈに挿入することにより、スペーサ１１と一体化された遊技盤６を複数個安定した状態で積み重ねることができる。そのため、スペーサ１１と一体化された遊技盤６を複数個安定した状態で移動又は運搬することができる。その結果、作業効率が上昇する。
【００５１】
上述した実施形態では、スペーサ１１は黒色である。しかしながら、スペーサ１１は黒色に限定されない。ただし、スペーサ１１は不透光性を有している方が好ましい。スペーサ１１が不透光性を有していれば、スペーサ１１の後方は遊技者に視認されないので、スペーサ１１の後方を隠すことができる。また、スペーサ１１が不透光性を有していれば、遊技盤６が傷ついても、スペーサ１１はその傷が目立つことを抑制することができる。
【符号の説明】
【００５２】
２：パチンコ機（遊技機）
３：遊技機枠
４：外枠
５：遊技盤ユニット
６：遊技盤
６ａ：表面（遊技盤面）
６ｂ：センター開口
６ｃ：右上方孔
６ｄ：左下方孔
６ｅ：第１右下方孔
６ｆ：左上方孔
６ｇ：第２右下方孔
７：センター役物（前方ユニットの一部）
８：前方ユニット
９：前枠
９ａ：中央開口
９ｂ：右上側案内部
９ｃ：左下側案内部
１０：ガラス
１１：スペーサ（基盤部材）
１１ａ：平面部
１１ｂ：側面部
１１ｃ：右上方孔
１１ｄ：左下方孔
１１ｅ：凹部
１１ｆ：リブ
１１ｇ：突出部
１１ｈ：穴部
１１ｉ：左上方孔
１１ｊ：右下方孔
１２：ガラス枠
１３：後方ユニット
１３ａ：中央開口
１４：球皿
１４ａ：上球皿
１４ｂ：下球皿
１５：発射装置ハンドル
１６：遊技領域
２２：ヒンジ
２３：遊技球（遊技媒体）
２６：レール飾り（前方ユニットの一部）
２６ａ：外レール
２９：始動入賞口（前方ユニットの一部）
３２：装飾部材
６０：球タンクカバー
【図１】
0006048948.tif 000002
【図２】
0006048948.tif 000003
【図３】
0006048948.tif 000004
【図４】
0006048948.tif 000005
【図５】
0006048948.tif 000006
【図６】
0006048948.tif 000007
【図７】
0006048948.tif 000008
【図８】
0006048948.tif 000009
【図９】
0006048948.tif 000010